(57)【要約】      （修正有）【課題】着用者の着け心地の良さを高め、カップの外型は光沢があり滑らかで、材質は軽量で柔らかく、通気性があり、且つ黄変、変形の虞がなく、同時に着用者の着け心地の良さ、見た目の美しさ及びバストラインを整えて美しく見せるブラジャーカップの提供。【解決手段】表層は、カップ表面とするための第１表面及び第１表面に相対する第２表面を備える。中間層は、表層の第２表面に粘着され、且つ表層より厚い。内層は、中間層における表層の第２表面から離れた表面に粘着され、且つ中間層より厚い。表層、中間層及び内層をモールディングすることによって一体成型のカップの原型を形成する。その中で、表層と内層は、中間層が直接空気に触れないように保護する。【選択図】図２
0003104676.tif 000002
【実用新案登録請求の範囲】
【請求項１】
ブラジャーカップの表面として用いる第１表面及び前記第１表面に相対する第２表面を備える表層と、
前記表層の第２表面に粘着し、且つ前記表層より厚い中間層と、
前記中間層において前記表層の第２表面から離れた表面に粘着され、且つ前記中間層より厚い内層と、を備え、
前記表層、前記中間層及び前記内層をモールディングして一体成型のカップの原型を形成することにより、前記表層と前記内層が前記中間層を空気に直接触れないように保護し、且つ前記内層が前記中間層を支えて、しっかりとした形を保ち、且つ前記内層は、着用者がバストをセンターに寄せて上げることができるようになっており、前記中間層は、着用者の快適感を高めることができることを特徴とするブラジャーカップ。
【請求項２】
前記表層は、ジャージ生地層であることを特徴とする請求項１に記載のブラジャーカップ。
【請求項３】
前記中間層はポリウレタン層であることを特徴とする請求項１に記載のブラジャーカップ。
【請求項４】
前記ブラジャーカップの原型における中間層は、中央部分が比較的厚く、両端に向かって薄くなる三日月型の構造を呈することを特徴とする請求項１に記載のブラジャーカップ。
【請求項５】
前記内層は、不織布層であることを特徴とする請求項１に記載のブラジャーカップ。
【請求項６】
前記カップの原型における内層の前記中間層に粘着されている表面から離れた相対面は、定位部及び支持部を形成することを特徴とする請求項１に記載のブラジャーカップ。
【請求項７】
前記定位部は、上に向かって薄くなる窪んだ構造であることを特徴とする請求項６に記載のブラジャーカップ。
【請求項８】
前記支持部は、前記定位部と繋がっており、弧状の出っ張った構造を呈することを特徴とする請求項６に記載のブラジャーカップ。
【考案の詳細な説明】
【技術分野】
【０００１】
本考案は、ブラジャーのカップに関し、特に縫い目のないブラジャー（シームレスブラジャー）のカップの構造に関するものである。
【背景技術】
【０００２】
ブラジャーは女性が直接肌に着けるものであるので、着け心地の良さ以外に、着用者のスタイルを適度に美しく見せることも重要なポイントであり、購買時のカギとなる。従って、最近では多くの女性が縫い目のないブラジャーを選択している。なぜなら、縫い目のないブラジャーは着用した時に下着の線が服の上に透けて見えるという問題を防ぐことができるだけでなく、スタイルを適度に補正して美しく見せ、バストのエレガントな曲線を作り出すことができる。
【０００３】
従来の縫い目のないブラジャーとは、バストラインを美しくする厚手のパット付きのブラジャーカップを備えるものを指し、通常は一体成型のポリウレタン（ｐｏｌｙｕｒｅｔｈａｎｅ）又は不織布（ｎｏｎ  ｗｏｖｅｎ）が使われる。この種のブラジャーカップの表面には縫い込み処理が施されておらず、中に入れる厚手のパットを中に入れるのにも縫い込み処理が施されていない。従来のブラジャーカップは図１に示す通りである。
【０００４】
図１に示すブラジャーカップはポリウレタンで作られており、前記ブラジャーカップの内層ポリウレタン１０及び外層ポリウレタン２０は、粘着され一つになっており、内層ポリウレタン１０及び外層ポリウレタン２０の粘着されていない面は、それぞれ内層布１０及び外層布５０に粘着されている。カップの成型金型（図示せず）により、内層ポリウレタン１０、外層ポリウレタン２０、内層布３０及び外層布５０の接合に対してモールディング（ｍｏｌｄｉｎｇ）を行い、完成したカップの原型は余分な部分が切除された後、完成品加工を行うステップに送られる。
【０００５】
然しながら、粘着された内層ポリウレタン１０及び外層ポリウレタン２０の結合部分が固くなることで、通気性、吸水性が悪くなり、且つポリウレタン層の柔軟性にばらつきが生じ、肌触りが悪くなる。また、ポリウレタン層の柔軟性にばらつきが生じることで、着用者が違和感を覚えるほかに、アウターウェアを着た時に見た目のバランスという逆効果を生む。その他、前記従来技術による構成のカップは変形し易く、重みがあり、光沢や滑らかさがなく、きめが粗く、空気に触れると黄変しやすいという欠点がある。
【０００６】
通気性の問題を解決するため、ポリウレタンに複数の通気孔を開けたものもある。しかし、これらの通気孔は通気性の問題の解決にはならず、又この通気孔が大きすぎると、ポリウレタンの持つしっかりとして型崩れしにくいという特性を保つことができなくなる。その他、台湾専利公告第５６７７５２号ではポリウレタン層の間にカルバミン酸を加えてポリウレタン層における柔軟性のばらつきの問題を解決しているが、通気性の問題は解決されない。
【０００７】
更に、不織布で製造されたブラジャーカップには、柔らかくきめが細かい肌触りがあり、通気性にも優れているが、不織布は立体的な形を保つことができず、しっかりしていないため、洗濯するとより大きく変形し、バストラインを整え美しくする効果を提供することができない。
【０００８】
その他、台湾専利公告第４３５０９４号では二層のポリウレタン層の間に部分的に不織布層を貼り付けたブラジャーカップが開示されており、該カップの中間層及びその他の部位に他とは異なる弾力性と伸縮性を与えている。しかし、なおポリウレタン層の通気性の問題の解決には至っていない。
【０００９】
従って、このような従来のブラジャーカップは見た目のアンバランスという逆効果を生み出し、着用者のしっかりしたカップによりバストをセンターに寄せ高く上げたいとういう希望を裏切り、バストラインを美しくすることができない。同時に下着の線が外側へ透けるという問題も起きる。その他、冷却及び加圧又は加熱及び加圧の方法を用いて縫い目のないブラジャーカップを製造することを開示している人もいるが、やはり変形しやすいという問題は解決されていない。
【００１０】
上記に述べたように、前記従来技術は、光沢があり滑らかで、軽量感があり柔らかく、通気性があり、黄変や変形しないブラジャーカップを提供することができす、きめが粗く、重量感があり、通気性が低く、黄変及び変形の問題を引き起こすため、着用者に着け心地のよさ、見た目の美しさ及びバストラインを整えるといった要求を満足させることはできない。それ故、従来の技術には改善点が存在しており、解決しなければならない。
【考案の開示】
【考案が解決しようとする課題】
【００１１】
本考案は、上述の従来からの欠点に鑑み、研究開発に成功したものであり、ブラジャーカップに艶や滑らかさ、軽量感、柔らかさ、通気性を持たせ、且つ黄変、変形する心配のないブラジャーカップを提供することを目的とする。
【００１２】
また、本考案は、着用者の快適性、美観性及びスタイルをよくしたいという要求を満たすことができるブラジャーカップの提供を目的とする。
【課題を解決するための手段】
【００１３】
上述の目的及びその他の目的を達するために、本考案は表層、中間層及び内層を備えるブラジャーカップを提供する。
【００１４】
前記表層は、カップ表面とするための第１表面及び前記第１表面に相対する第２表面を備える。前記中間層は、前記表層の第２表面に粘着され、且つ前記表層より厚い。前記内層は、前記中間層における前記表層の第２表面から離れた表面に粘着され、且つ前記中間層より厚い。前記表層、前記中間層及び前記内層をモールディングすることによって一体成型のカップの原型を形成する。その中で、前記表層と前記内層は、前記中間層が直接空気に触れないように保護し、前記内層が前記中間層を支えることで、しっかりとした形を保てるようにする。且つ、前記内層は、着用者がバストをセンターに寄せて上げることができるようになっており、前記中間層は着用者の着け心地を良くすることができる。
【００１５】
本考案は、一層の中間層及び一層の内層を使用しているだけであり、且つ前記中間層として、艶があって滑らかな弾力性のある材質から作られた構造を選択することができ、本考案のブラジャーカップの表面に艶や滑らかさを持たせ、且つ全体的に軽量性、柔軟性、通気性が増し、着用者がブラジャーを着用したときに快適性を得られるため、従来の技術における柔軟性のばらつき、肌触りの悪さ、及び重量感があるという問題を解決することができる。
【００１６】
また、前記内層は、前記中間層を支えて、しっかりとした形を保つことができるため、アウターウェアを着用しても流れるような体のラインを保つ事ができ、従来の技術における定型力が悪かったり、しっかりとした形を保てないという欠点もなく、且つ従来技術における見た目のアンバランスという逆効果も解決することができる。
【００１７】
さらに、例えばポリウレタンを使用した中間層は、前記表層と前記内層の間において、前記表層と前記内層によって前記中間層が空気に直接触れないように保護されており、従来の技術における黄変及び変形の欠点がなくなる。且つ、前記内層は、着用者のバストをセンターに寄せて上げることができ、スタイルを補正したり、美しく見せる効果を提供している。
【００１８】
そのため、本考案のブラジャーカップは、カップに艶や滑らかさ、軽さや柔らかさ、通気性を持たせ、且つ黄変、変形の心配がないだけでなく、着用者の快適性、美観性及びスタイルを美しく見せたいという要求を満たすことができ、従来の技術における数々の問題点を解決することができる。
【００１９】
以下において、特定の具体的な実施例によって、本考案の実施方法を説明する。この技術に詳しい人は、本明細書に掲げる内容によって、簡単に本考案のその他のメリットと効果を理解することができる。また、本考案は、その他の様々な具体的な実施例によって実行又は応用される。本明細書における詳細な内容は、異なる観点及び応用に基づくこともでき、本考案の精神に背かずに、修正及び変更することもできる。
【考案を実施するための最良の形態】
【００２０】
以下の実施例は、更に詳細に本考案の観点を説明するものであるが、いかなる観点も本考案の範囲を制限するものではない。
【００２１】
図２及び図３は、本考案の比較的わかりやすい実施例に基づいて描かれた図である。図に示すように、本考案のブラジャーカップは、表層１、中間層３及び内層５を含む。
【００２２】
前記表層１は、カップ表面として用いられる第１表面１１及び前記第１表面に相対する第２表面１３を備える。前記表層１として、例えばジャージー生地層又はその他の伸縮性に優れた材質からなる物を選ぶことができる。
【００２３】
前記中間層３は、前記表層１の第２表面１１に貼り合わされており、且つ前記表層１１より厚い。前記中間層３として、例えばポリウレタン層又はその他の圧縮成型できる弾性材質からなるものを選ぶことができる。
【００２４】
前記内層５は、前記中間層３における前記表層１の第２表面１３から離れた表面に粘着され、且つ前記中間層３よりも厚い。前記内層５として、例えば不織布層又はその他の圧縮成型ができて、且つ艶があり滑らかな弾性材質からなる物を選ぶことができる。
【００２５】
カップの原型（ｐｒｏｔｏｔｙｐｅ）を作成したい場合、カップの成型模型（図示せず）によって、前記表層１、前記中間層３及び前記内層５をモールディングし、図３に示すように、一体型のカップの原型にする。その中で、カップの成型模型は、本案の特徴ではないため、ここでは詳しい説明を省略する。
【００２６】
前記内層５は、艶があって滑らかで、且つ弾力性を備えており、さらに一層の中間層３のみを使用しているため、本考案に関わるブラジャーカップの表面は艶があり滑らかで、且つ軽量でソフトで通気性に優れたものになっており、着用者に快適感をもたらす。同時に、例えば、ポリウレタンを使用した中間層３は前記表層１と前記内層５の間に挟まれており、前記表層１と前記内層５によって前記中間層３が空気に直接触れて黄変する問題が無いように保護することができる。前記中間層３は、前記内層５によって支えられることで、変形の心配もなくなる。また、前記内層５は、着用者がバストをセンターに寄せて上げることができるようになっており、前記中間層３は着用者の快適感を高めることができる。
【００２７】
図３に示すように、成型後のカップは、内側が窪んでおり、且つカーブのある構造を呈している。前記中間層３は、中央部分のやや厚い部分から両端に向かって少しずつ薄くなっている三日月型の構造を形成しており、前記内層５の前記中間層３に粘着している表面から離れた相対面は、定位部５１及び支持部５３を形成している。
【００２８】
前記定位部５１は、上部に向かうにつれ細くなる窪んだ構造であり、着用者のバストを寄せることができるようになっている。前記サポート部５３は、前記定位部５１と一体化しており、弧状の出っ張った構造を呈しており、着用者のバストを上に持ち上げることができるようになっている。本実施例では、カップの内側は上が薄く、下が厚い構造を例に説明しているが、これに限られるものではなく、本考案は異なる内側の構造のブラジャーカップにも応用することができる。
【００２９】
前記内層５は、例えば、不織布層又はその他の圧縮成型且つ艶があって滑らかな弾性材質からなるものを選ぶことができ、ソフトで滑らか且つきめの細かい肌触りを提供することができる。また、前記内層５における厚さは、前記中間層３より厚く、通気性に優れているだけでなく、吸水効果を高めることができる。
【００３０】
以上に述べるように、本考案は、一層の表層を支持できる内層及び肌に密着する時の快適性を高める中間層のみを使用し、且つ表層及び内層がその間にある中間層を保護することで、カップに艶や滑らかさ、軽量感、ソフト感、通気性を持たせ、且つ黄変、変形の心配をなくすことができる。同時に、着用者の快適感、見た目の美しさ、及びスタイルを美しくするというニーズを満たすことができる。
【００３１】
上述の実施例は、本考案の原理及びその効果を例示によって説明しているだけであり、本考案を制限するものではない。この技術に詳しい人は、本考案の精神及び範囲から逸脱せずに、上述の実施例に対して、修正及び変更を行うことができる。そのため、本考案の権利請求の範囲を添付の請求項に列記する。
【図面の簡単な説明】
【００３２】
【図１】図１は、従来のブラジャーカップに関わる立体イメージ図を示す。
【図２】図２は、本考案に関わる比較的わかりやすい実施例のモールディング前の構造の断面図を示す。
【図３】図３は、本考案に関わる比較的わかりやすい実施例のモールディング後の構造断面図を示す。
【符号の説明】
【００３３】
１    表層
３    中間層
５    内層
１０    内層ポリウレタン
１１    第１表面
１３    第２表面
２０    外層ポリウレタン
３０    内層布
５０    外層布
５１    定位部
５２    支持部
【図１】
0003104676.tif 000003
【図２】
0003104676.tif 000004
【図３】
0003104676.tif 000005